(57)【要約】
【課題】　入力キーが連動することにより発生する入力エラーを防止する携帯電話機の入力キー部材を提供する。
【解決手段】　複数の入力キーユニット１０と、該入力キーユニット１０の下方に設置される軟質の入力キー本体２０と、該入力キー本体２０の内部に設置されるフレーム３０とを備える携帯電話機の入力キー部材であって、
　前記入力キーユニット１０同士の間に隙間１２が形成され、入力キー本体２０の上方に凸部２２が設けられると共に、該凸部２２の下面に押圧部２３が設けられ、隣り合う押圧部２３との間にリブ２４が設けられ、
　フレーム３０は硬質の材料からなるフレームリブ３１を有し、このフレームリブ３１が入力キー本体２０のリブ２４に対応して設置されることにより、フレームリブ３１をリブ２４の内部に収納するようにした構成とした。
【選択図】　図１
0003099977.tif 000002
【実用新案登録請求の範囲】
【請求項１】
複数の入力キーユニット１０と、該入力キーユニット１０の下方に設置される軟質の材料により形成された入力キー本体２０と、該入力キー本体２０の内部に設置されるフレーム３０とを備える携帯電話機の入力キー部材であって、
　前記入力キーユニット１０同士の間に隙間１２が形成され、入力キー本体２０の上方に凸部２２が設けられると共に、該凸部２２の下面に押圧部２３が設けられ、隣り合う押圧部２３との間にリブ２４が設けられ、
　フレーム３０は硬質の材料から形成されるフレームリブ３１を有し、このフレームリブ３１が入力キー本体２０のリブ２４に対応して設置されることにより、フレームリブ３１をリブ２４の内部に収納するようにしたことを特徴とする携帯電話機の入力キー部材。
【請求項２】
前記入力キーユニット１０の上面に遮光層１１が設けられ、入力キー本体２０の上面にフィルム２１が設けられると共に、フィルム２１の下方に隙間１２に対応する遮光層２１１を設けたことを特徴とする請求項１に記載の携帯電話機の入力キー部材。
【請求項３】
前記フレームリブ３１に孔３２が形成されていることを特徴とする請求項１又は２に記載の携帯電話機の入力キー部材。
【考案の詳細な説明】
【技術分野】
【０００１】
　本考案は、特に入力キーが連動することにより発生する入力エラーを防止する携帯電話機の入力キー部材に関するものである。
【背景技術】
【０００２】
　図５に示すように、従来の携帯電話機の入力キー部材は入力キーユニット４０と軟質のプラスチック材からなる入力キー本体５０とを有し、入力キーユニット４０の上面に遮光層４１が設けられ、入力キー本体５０と入力キーユニット４０との間に凸部５１が設けられると共に、その凸部５１の下面に回路板符号なしにおける金属接触端子６０と接触する押圧部５２が設けられ、それら押圧部５２同士の間に入力キー本体５０を支持するためのリブ５３が設けられる。
【考案の開示】
【考案が解決しようとする課題】
【０００３】
　しかしながら、前記従来の携帯電話機の入力キー部材は、入力キーユニット４０の下方に設置される入力キー本体５０及びリブ５３が軟質のプラスチック材からなるので、一つの入力キーユニット４０を押圧する際、他の入力キーユニット４０の下方に位置する凸部５１と押圧部５２が連動して押圧され、入力エラーが発生してしまうことがあり、使用上問題がある。
【０００４】
　そこで、案出されたのが本考案であって、入力キーが連動することにより発生する入力エラーを防止する携帯電話機の入力キー部材を提供することを目的としている。
【課題を解決するための手段】
【０００５】
　　本考案の請求項１の携帯電話機の入力キー部材は、複数の入力キーユニット１０と、該入力キーユニット１０の下方に設置される軟質の材料により形成される入力キー本体２０と、該入力キー本体２０の内部に設置されるフレーム３０とを備える携帯電話機の入力キー部材であって、前記入力キーユニット１０同士の間に隙間１２が形成され、入力キー本体２０の上方に凸部２２が設けられると共に、該凸部２２の下面に押圧部２３が設けられ、隣り合う押圧部２３との間にリブ２４が設けられ、フレーム３０は硬質の材料より形成されるフレームリブ３１を有し、このフレームリブ３１が入力キー本体２０のリブ２４に対応して設置されることにより、フレームリブ３１をリブ２４の内部に収納するようにしたことを特徴とする。
【０００６】
　請求項２の考案は、請求項１に記載の携帯電話機の入力キー部材において、前記入力キーユニット１０の上面に遮光層１１が設けられ、入力キー本体２０の上面にフィルム２１が設けられると共に、フィルム２１の下方に隙間１２に対応する遮光層２１１が設けられることを特徴とする。
【０００７】
　請求項３の考案は、請求項１又は２に記載の携帯電話機の入力キー部材において、前記フレームリブ３１に孔３２が形成されることを特徴とする。
【考案の効果】
【０００８】
　本考案は上記の構成を有するので、硬質の材料からなるフレームを軟質の材料からなる入力キー本体のリブ内に設けることにより、リブの強度を向上させるので、一つの入力キーユニットを押圧する際、隣り合う入力キーユニットの下方における凸部と押圧部とが連動して押圧されることにより発生する携帯電話操作時における入力エラーを防止することができる。
【考案を実施するための最良の形態】
【０００９】
　以下、添付図面を参照して本考案の好適な実施の形態を詳細に説明する。勿論、下記実施例は、本考案の好適な実施の形態を示したものに過ぎず、本考案の技術的範囲は、下記実施例そのものに何ら限定されるものではない。
【００１０】
　図１は本考案に係る携帯電話機の入力キー部材の斜視図であり、図２は本考案に係る携帯電話機の入力キー部材の分解斜視図であり、図３は本考案に係る携帯電話機の入力キー部材の第１実施例を示す断面図であり、図４は本考案に係る携帯電話機の入力キー部材の第２実施例を示す断面図である。
【実施例１】
【００１１】
　図１乃至図３に示すように、本考案に係る携帯電話機の入力キー部材は複数の入力キーユニット１０と、該入力キーユニット１０の下方に設置される入力キー本体２０と、該入力キー本体２０の内部に設置されるフレーム３０とを備える。
【００１２】
　前記入力キーユニット１０はその上面に遮光層１１が設けられると共に、入力キーユニット１０同士の間に隙間１２が形成され、入力キー本体２０の上面にフィルム２１が設けられると共に、フィルム２１の下方に隙間１２に対応する遮光層２１１が設けられ、入力キー本体２０の上方に凸部２２が設けられると共に、該凸部２２の下面に押圧部２３が設けられ、隣り合う押圧部２３との間にリブ２４が設けられる。
【００１３】
　フレーム３０は、硬質の材料、例えば金属や硬いプラスチック材などからなるフレームリブ３１を有し、このフレームリブ３１は入力キー本体２０のリブ２４に対応して設置されることにより、フレームリブ３１をリブ２４の内部に収納することができる。
【００１４】
　本考案に係る携帯電話機の入力キー部材によれば、軟質の材料からなるリブ２４の内部に硬質の材料からなるフレームリブ３１を設けることにより、一つの入力キーユニット１０を押圧する際、隣り合うボタンユニット１０の下方における凸部２２と押圧部２３を連動して押圧することがないので、入力エラーを発生することを防止できる。
【実施例２】
【００１５】
　又、図４に示すように、本考案に係る携帯電話機の入力キー部材の第２実施例は上記の実施例１と殆ど等しく、異なる点は、フレームリブ３１に孔３２が形成されており、入力キー本体２０の軟質材料がその孔３２を貫通することにより結合されるので、フレーム３０と入力キー本体２０との結合効果を向上することができる。
【図面の簡単な説明】
【００１６】
【図１】本考案に係る携帯電話機の入力キー部材の斜視図である。
【図２】本考案に係る携帯電話機の入力キー部材の分解斜視図である。
【図３】本考案に係る携帯電話機の入力キー部材の第１実施例を示す断面図である。
【図４】本考案に係る携帯電話機の入力キー部材の第２実施例を示す断面図である。
【図５】従来の携帯電話機の入力キー部材の断面図である。
【符号の説明】
【００１７】
　１０　　　　入力キーユニット
　１１　　　　遮光層
　１２　　　　隙間
　２０　　　　入力キー本体
　２１　　　　フィルム
　２１１　　　遮光層
　２２　　　　凸部
　２３　　　　押圧部
　２４　　　　リブ
　３０　　　　フレーム
　３１　　　　フレームリブ
　３２　　　　孔
　４０　　　　入力キーユニット
　４１　　　　遮光層
　４２　　　　隙間
　５０　　　　入力キー本体
　５１　　　　凸部
　５２　　　　押圧部
　５３　　　　リブ
　６０　　　　金属接触端子
【図１】
0003099977.tif 000003
【図２】
0003099977.tif 000004
【図３】
0003099977.tif 000005
【図４】
0003099977.tif 000006
【図５】
0003099977.tif 000007